(57)【要約】【課題】ドア表面に収納部を設けた冷蔵庫において、庫内貯蔵物品に係る小物類の収納を図るといった収納部本来の目的・用途の他に、蓋部材に更なる機能を配備することにより、使用者にとって有効な収納部を備えた冷蔵庫を提供する。【解決手段】前記蓋部材の一側辺に、辺端から斜めの切り込みを入れたスリット部を形成し、該スリット部から辺端側に刃先を臨ませるカッター手段を配備する。さらに、このカッター手段を単体での使用も可能なように着脱自在に配備する。【選択図】      図２
2004308966.tif 000002
【特許請求の範囲】
【請求項１】
ドア表面の一部に小物を収納できる大きさの収納部を設け、この収納部の前面の開口を施蓋する蓋部材を開けた際にこの蓋部材を略水平状態に保持できるようになした冷蔵庫であって、
前記蓋部材の一側辺に、この辺端から内側へ向かって斜めに形成されたスリット部を設け、該スリット部から辺端側に刃を臨ませるカッター手段を前記スリット部に配備したことを特徴とするキッチンカッター付き冷蔵庫。
【請求項２】
カッター手段は蓋部材から分離可能に取付けられ、前記スリット部と同形状の切込部を有するとともに内部に配設するカッター刃の交換を可能に構成した薄型のケースを備えることを特徴とする請求項１に記載のキッチンカッター付き冷蔵庫。
【発明の詳細な説明】
【０００１】
【発明の属する技術分野】
本発明は、小物類の収納を図るための収納部がドア表面側に設けられている冷蔵庫に関するものである。
【０００２】
【従来の技術】
一般家庭等にあっては、冷蔵庫のドア表面または側面部等に、着脱自在なフック具・クリップ具あるいはマグネット具等を用いてメモ類を貼り付けたり、栓抜き、缶切り、挟、カッター等といった庫内に貯蔵される物品に係る小物類を吊り下げるなどして、キッチン及び冷蔵庫周りの利便性に工夫を施している。
【０００３】
冷蔵庫自体においても、ドア表面に着脱自在なバスケットを配設可能に設けたものや、ドア表面の一部範囲に蓋（扉）付きの収納部を設けたものなどが提案されている。
【０００４】
図５は、従来のドア表面に収納部を設けた冷蔵庫の一例を示すものであり、収納部１は、ドア表面Ａから任意の高さで前方に突出する囲枠部１１で所定範囲を囲繞し、内表面に適宜形状のフック部分１２を適宜間隔をもって複数箇所に配設するとともに、その開口を蓋部材２により開閉可能に施蓋することで内部を隠蔽するように構成してある。当然のことながら、該収納部１には冷凍・冷蔵機能は及ばないようになっている。
【０００５】
前記蓋部材２は多くの場合、収納部１の開口下辺にヒンジ接合等の適宜な接合手段を介して開閉自在に取付けられ、当該収納部１の開放時には該蓋部材２をドア表面において水平状態に維持して、ここを軽量物用の載置台として機能させるように設けている。
【０００６】
また、図示は省略するが、ドア表面において前記収納部１の開口を成形するにあたっては上記した他にも、ドア表面を所定範囲に渡って凹陥状に成形して設けたり、別体の囲枠部材を取付けたり、適宜深さに別体成形した箱状体をドア表面にて開口するように埋設固定させるなど、当業者の都合に応じて適宜に採択実施されている。
【０００７】
【発明が解決しようとする課題】
しかしながら、上記したようなドア表面に収納部を設けた冷蔵庫にあっても、キッチン周りにおける小物類の収納・整理性や、この部分を蓋部材で隠蔽することにより外観的に見映えが良くなるなどといった点ではある程度の効果が望めるものの、前述したような別部材による着脱式のフック具等を用いて小物類を収納する場合との比較においては、その収納部の構成自体に疑問が生ずるものとなっていた。
【０００８】
すなわち、前記収納部内に設けられているフック部分の機能は、従来の着脱式のものを適用するのと何ら変わるものではなく、また、蓋部材の載置台としての使用にあっても、使用者にとってはそれが格別な機能であるとは云い難いものであり、却ってこのような収納部の存在が、冷蔵庫全体のコスト高や意匠性を損なう要因に成り兼ねないといった問題点を有していた。
【０００９】
本発明は、上記した問題点を解決することを課題とし、庫内貯蔵物品に係る小物類の収納を図るといった収納部本来の目的・用途の他に、蓋部材に更なる機能を配備することにより、使用者にとって有効な収納部を備えた冷蔵庫を提供することを目的とするものである。
【００１０】
【課題を解決するための手段】
上記した目的を達成するために、本発明は、ドア表面の一部範囲に小物入れ用の収納部を設け、この収納部開口を施蓋する蓋部材を、開口下辺において水平状態に保持されるように開閉自在に取付けて設けた冷蔵庫であって、前記蓋部材の一側辺に、辺端から斜めの切り込みを入れたスリット部を形成し、該スリット部から辺端側に刃先を臨ませるカッター手段を配備したキッチンカッター付き冷蔵庫を提供するというものである。
【００１１】
また、カッター手段が蓋部材とは別体で、前記スリット部と同形状の切込部を有するとともに内部に配設するカッター刃の交換を可能に設けた薄型のケース体からなり、前記蓋部材に着脱自在に設備するというものである。
【００１２】
【発明の実施の形態】
以下、本発明の実施の形態を図１から図４を参照しながら詳細に説明する。
収納部１の開口を成形するにあたっては、予めドアの表面板部材Ａの成形段階において、前方側に適宜高さ突出させてなる囲枠部１１を表面板部材Ａに一体成形して表面の一部範囲を囲繞するように設けてある。（尚、囲枠部１１は表面板部材Ａに別体で取付けても良い。など従来技術で説明したのと同様に、収納部の開口を成形することも当然に可能である。）
【００１３】
また開口内には、庫内貯蔵物品に係る小物類やカギ等を吊下げて収納するための適宜形状のフック部分１２が配設されている。
【００１４】
符号２は、その収納部の開口を隠蔽する蓋部材であり、収納部１の開放時にドア表面Ａに対して垂直（底に対して水平状態）に係止保持されるように、開口下辺において適宜なヒンジ接合により回動自在に取付けられ、また、その背面側には任意の一側辺端に刃先を臨ませるカッター手段３が配備される。
【００１５】
蓋部材２の前記カッター手段３を配備する一側辺には、辺端から他辺側に向かって適宜な長さ（２０ｍｍ前後）で斜めに切り込んだスリット部２１が形成してあり、一方、前記カッター手段３にあっては該スリット部２１と略同形状に設けた切込部３１から内部に配設されているカッター刃３０が露呈し切込部の途中に刃先部分が位置するように設けられる。
【００１６】
前記カッター手段３は、その切込部３１を蓋部材２のスリット部２１に一致させて配備され、これによりスリット部を有する蓋部材の一側辺には、刃先が外方に向かってなるカッター刃３０が露呈した箇所が部分的に得られることになる。
【００１７】
このカッター手段３は、蓋部材２のスリット部２１に対応させて一体的に配備しても良いが、蓋部材２と別体に設けて着脱自在とすることにより、さらに利用性が高まるものとなる。
【００１８】
図３は、そのカッター手段の一例を示すものであり、樹脂成形あるいは金属成形によって、既製のカミソリ刃（又は刃）３０を交換可能に使用できるように見開き様に開閉可能に成形した薄型のケース体にて設けてある。または、薄型の合せ箱状等にて設けても良い。
【００１９】
図面においては、該カッター手段３を別体品にて設けた場合を例示しており、したがって、前記蓋部材２の背面側には、該カッター手段３を辺端側から差込み可能とするためのガイド２２が形成してある。これにより、使用者が必要に応じてカッター手段３を蓋部材からスライドさせて外し、該カッター手段を単体で使用することも可能としているのである。
【００２０】
このようにカッター手段３が設備されていることにより、庫内に貯蔵されている物品の包装袋を開封する際には、非常に便利となる。
すなわち、まずは前記収納部１の蓋部材２を開いてドア表面に水平状態に保持させ、開封したい物品の包装袋Ｐをスリット部２１から臨ませているカッター手段３のカッター刃３０の刃先に宛がい、そのまま包装袋Ｐをスリット形成方向に引けば、簡単に開封されるのである。
【００２１】
ビニル袋詰めの野菜・果実類やレトルト食品・スナック菓子類の包装袋など、袋詰めの物品が数多く提供されている今般にあっては、他所から鋏やカッター類を持ち出してくる必要がなくなり、冷蔵庫周り或いはキッチン周りで即座にカッター類の使用を必要する開封などの作業を行うことができ、利便性に富んだ機能といえる。
【００２２】
【発明の効果】
以上説明したように、本発明によれば、ドア表面に収納部を設けてなる冷蔵庫の、前記収納部の蓋部材にカッター手段を配備したことにより、収納部の蓋部材を開けるだけで包装袋などを開封するためのカッター手段が提供されるものとなり、キッチン・冷蔵庫周りでの作業性向上が見込まれるものとなる。
これにより、栓抜き・缶切り等の庫内貯蔵物品に係る小物類を見映え良く収納するといった収納機能、並びに、蓋部材を軽量物品用の載置台として使用する機能といった従前から収納部が備えていた機能に加え、使用者にとって好都合な位置にカッター手段の機能が付加されることから、収納部全体の有用性・利便性が高まり、使い勝手の良い収納部付きの冷蔵庫を提供することができるといった優れた効果を奏するものとなる。
【図面の簡単な説明】
【図１】本発明に係る冷蔵庫の一例を示す説明図である。
【図２】本発明に係る収納部を示す説明図である。
【図３】本発明に係るカッター手段の一例を示す説明図である。
【図４】本発明による収納部のカッター手段の使用例を示す説明図である。
【図５】従来のドア表面部分に収納部を設けてなる冷蔵庫の一例を要部で示す説明図である。
【符号の説明】
１  収納部
１１  囲枠部
１２  フック部分
２  蓋部材
２１スリット部
３  カッター手段
３０  カッター刃
３２  切込部
【図１】
2004308966.tif 000003
【図２】
2004308966.tif 000004
【図３】
2004308966.tif 000005
【図４】
2004308966.tif 000006
【図５】
2004308966.tif 000007